(57)【要約】【課題】  レイアウト変更時に表示装置の位置を変更する作業が容易且つ安価に行える配線レールを提供することを目的とする。【解決手段】  物品の収納位置等を表示する表示ユニット１１が装着される配線レール１であって、少なくとも２本以上の導電ケーブル４ａ，４ｂが互いに並行に延設された基板部２を備え、前記導電ケーブル４ａ，４ｂを介して外部から駆動電力または制御信号が伝達される接続端子を有する前記表示ユニット１１が、前記接続端子を前記導電ケーブル４ａ，４ｂに電気的に接触させた状態で前記基板部２の長手方向にスライド自在に装着される配線レール１において、前記導電ケーブル４ａ，４ｂは、その一部を前記基板部２に沿って延びるスリット状の開口から露出させて該基板部２に埋め込まれていることを解決手段とする。【選択図】  図１
2005123316.tif 000002
【特許請求の範囲】
【請求項１】
物品の収納位置等を表示する表示装置が装着される配線レールであって、少なくとも２本以上の導電線が互いに並行に延設された基板部を備え、前記導電線を介して外部から駆動電力または制御信号が伝達される接続端子を有する前記表示装置が、前記接続端子を前記導電線に電気的に接触させた状態で前記基板部の長手方向にスライド自在に装着される配線レールにおいて、前記導電線は、その一部を前記基板部に沿って延びるスリット状の開口から露出させて該基板部に埋め込まれていることを特徴とする配線レール。
【請求項２】
前記表示装置に設けられた一対の被係合部と係合する一対の係合部が前記基板部の両縁から相対向して延設され、該係合部は前記基板部を基準として非対称に設けられている請求項１に記載の配線レール。
【発明の詳細な説明】
【技術分野】
【０００１】
本発明は、物品の収納位置等を表示する表示装置が装着される配線レールに関し、詳しくは、物品を保管する倉庫の収納棚等に取付けられる配線レールであって、物品の収納位置等を表示する表示装置が装着される配線レールに関する。
【背景技術】
【０００２】
物品の収納位置等を表示する表示装置と、物品を保管する倉庫の収納棚等に取付けられ、前記表示装置がスライド自在に装着される配線レールとが知られている（例えば、特許文献１参照）。
【０００３】
この表示装置では、図９に示すように、表示装置５１の前面に設けられたランプ５５の点滅によって物品の収納位置の指示が行われ、また、その表示部５０によって物品の数量等が表示され、物品のピッキング（仕分け）作業の効率化が図られている。また、配線レール４１の基板部には、表示装置５１と、該表示装置５１を一括管理する制御コンピューターとを電気的に接続する導電線４４が敷設されている。また、配線レール４１において表示装置５１が装着されていない領域には、作業者の手指による接触や大気中の塵埃から導電線４４を保護するため、配線レール４１を隠蔽するレールカバー４２が取付けられている。
【０００４】
そして、作業現場において、収納棚２５の各収納部の位置や範囲を変更するレイアウト変更時には、表示装置５１の位置を変更するとともに、このレールカバー４２をカッターを用いて任意の長さに切断し、収納棚２５の各収納部の寸法等に適合させる。
【特許文献１】特開平１０−１７７３５３号公報
【発明の開示】
【発明が解決しようとする課題】
【０００５】
しかしながら、この配線レール４１では、配線レール４１を隠蔽するレールカバー４２は基本的に使い捨てであるため、その補充と廃棄に費用を要し、また、このようなレールカバー４２を用いることから、表示装置５１の位置を変更する作業にそれなりの熟練性を要する。
【０００６】
本発明は、上述した問題に鑑みてなされたものであり、その目的は、配線レールを隠蔽するレールカバー等を用いないでも配線レールに敷設された導電線が作業者の手指による接触や大気中の塵埃から保護され、レイアウト変更時に表示装置の位置を変更する作業が容易且つ安価に行える配線レールを提供することにある。
【課題を解決するための手段】
【０００７】
本発明に係る配線レールは、物品の収納位置等を表示する表示装置が装着される配線レールであって、少なくとも２本以上の導電線が互いに並行に延設された基板部を備え、前記導電線を介して外部から駆動電力または制御信号が伝達される接続端子を有する前記表示装置が、前記接続端子を前記導電線に電気的に接触させた状態で前記基板部の長手方向にスライド自在に装着される配線レールにおいて、前記導電線は、その一部を前記基板部に沿って延びるスリット状の開口から露出させて該基板部に埋め込まれていることを特徴とする。
【０００８】
上記構成によれば、配線レールを隠蔽するレールカバー等の補助部材を用いないでも作業者の手指による接触や大気中の塵埃から導電線が保護されるようになり、レイアウト変更時に表示装置の位置を基板部の長手方向にスライドさせることのみで変更することができる。
【０００９】
前記表示装置に設けられた一対の被係合部と係合する一対の係合部が前記基板部の両縁に相対向して延設され、該係合部は前記基板部を基準として非対称に設けられていることが好ましい。
【００１０】
上記好ましい構成によれば、例えば、基板部の両縁に延設された一対の係合部の内、基板部の上部に設けられた係合部の基板部からの高さを下部に設けられた係合部の高さより高くしておけば、基板部の上部の係合部を目印にすることで、配線レールを適正な方向で収納棚に容易に装着することができる。また、表示装置に設けられた被係合部と係合する係合部を目印にすることで、配線レールに目印とするための別の部位を設ける必要がなく、配線レールのスリム化と省スペース化に寄与することができる。
【発明の効果】
【００１１】
以上のように、本発明に係る配線レールによれば、配線レールを隠蔽するレールカバー等を用いないでも配線レールに敷設された導電線が作業者の手指による接触や大気中の塵埃から保護され、レイアウト変更時に表示装置の位置を変更する作業が容易且つ安価に行えるようになる。
【発明を実施するための最良の形態】
【００１２】
以下、本発明に係る配線レールの一実施形態について図面を参照しながら説明する。図１（ａ）は、本実施の形態の配線レールを示す斜視図であり、図１（ｂ）は、該配線レールに表示装置（表示ユニット）が装着された状態を示す斜視図である。図２（ａ）は、本実施の形態の配線レールに表示ユニットが装着された状態を示す正面図であり、図２（ｂ）は、図２（ａ）に示す配線レールおよび表示ユニットの平面図であり、図２（ｃ）は、図２（ａ）に示す配線レールおよび表示ユニットの底面図である。また、図３は、図２（ａ）に示す配線レールおよび表示ユニットの側面図である。図４（ａ）は、図２（ａ）のＡ−Ａ線における配線レールの断面図であり、図４（ｂ）は、図２（ａ）のＡ−Ａ線における配線レールおよび表示ユニットの断面図である。
【００１３】
本実施の形態の配線レールは、物品を保管する倉庫等において、物品のピッキング（仕分け）作業を効率化するために、収納棚等に取付けられる形態のものであり、装着される表示ユニットが物品の収納位置等を表示する形態のものである。この配線レールにおいては、その長手方向に沿って基板部２が設けられ、該基板部２の両縁に一対の係合部３ａ，３ｂが相対向して延設されている。そして、該係合部３ａ，３ｂは基板部２を基準として非対称に設けられている。また、基板部２には、その長手方向に沿って駆動電力または制御信号を伝達する導電ケーブルが少なくとも２本以上互いに並行に延設されている。
【００１４】
なお、図１（ａ）乃至図４（ｂ）に示す配線レール１においては、基板部２の両縁に一対の係合部３ａ，３ｂが相対向するとともに、基板部２と一体的にその長手方向に延設されている。この係合部３ａ，３ｂの各縁端には、内側に相対向するように係止部５ａ，５ｂが延設されている。なお、係合部３ａは、係合部３ｂよりも基板部２からの高さが高くなるように、且つ装着された表示ユニット１１の上面のほぼ半分の面積の領域を覆うように設けられている。また、基板部２および係合部３ａ，３ｂは、例えばパイプカッターやラチェットカッター等のカッターで切断できるとともに、電気絶縁性に優れ、弾性を有する塩化ビニル樹脂等の合成樹脂材料から形成されている。
【００１５】
また、前記基板部２には、その長手方向に沿って一対の導電ケーブル４ａ，４ａと一対の導電ケーブル４ｂ，４ｂとが互いに並行に敷設されている。これら導電ケーブルの断面はいずれも円形状であり、それぞれ図示しない制御コンピューターと電気的に接続され、基板部２の上部に配された導電ケーブル４ａ，４ａは、装着された表示ユニット１１に駆動電力を伝達し（一方が＋で他方が−）、下部に配された導電ケーブル４ｂ，４ｂは、表示ユニット１１に制御信号を伝達するように構成されている。これら導電ケーブル４ａ，４ａと導電ケーブル４ｂ，４ｂとの間には、通電時に他方の一対の導電ケーブルとの干渉を回避するために間隔が設けられている。
【００１６】
本実施の形態において、前記した導電ケーブルは、それぞれの一部を基板部２に沿って延びるスリット状の開口から露出させて該基板部２に埋め込まれている。詳しくは、図４（ａ）を参照して、導電ケーブル４ａ，４ａおよび導電ケーブル４ｂ，４ｂは、それぞれ基板部２によってその外周の７／１２乃至１１／１２の面積の領域を被われた状態で、基板部２に形成されたスリット状の開口Ａから外周の１／１２乃至５／１２の面積の領域を露出させて該開口Ａに沿って形成された断面円形状の空洞部分に収納されている。更に開口Ａから斜め下方に向かって拡開した拡開部が形成されており、該拡開部は、基板部２の表面で開口Ｂを形成している。前述したように、基板部２は弾性を有する材料で形成されているため、各導電ケーブルは、先ず前記拡開部に沿わせて導電ケーブルを配し、次に開口Ａを拡げつつ前記空洞部分内に該導電ケーブルを収納することで、配線レール１の基板部２に敷設することができる。
【００１７】
そして、このように、各導電ケーブルは、その一部を基板部２に沿って延びるスリット状の開口Ａから露出させて該基板部２に埋め込まれているため、配線レール１を隠蔽するレールカバー等の補助部材を用いないでも作業者の手指による接触や大気中の塵埃から保護される。このような効果が得られることは、本実施の形態のように各導電ケーブルの断面を円形状とした場合に限らず、その他断面が楕円形状、半円形状、多角形状等であっても各導電ケーブルが、その一部を基板部２に沿って延びるスリット状の開口Ａから露出させて該基板部２に埋め込まれている限り、同様である。
【００１８】
本実施の形態において、前記配線レール１には、前記導電ケーブルを介して外部から駆動電力または制御信号が伝達される接続端子を有する表示ユニット１１が、基板部２の長手方向にスライド自在に装着されている。
【００１９】
詳しくは、図２（ａ）を参照して、前記表示ユニット１１の前面には、物品の収納位置を指示するために点滅する左右一対の照光ランプ１５，１５と、該照光ランプ１５，１５に挟まれた状態で、物品の数量等を表示する表示部１０とが設けられている。なお、照光ランプ１５，１５は、それぞれ上下の略中央部分を欠いた形状となっており、該欠損領域に表示部１０の表示の種類（物品の数量、収納棚の識別番号等）を切換えるための上下一対のファンクションキー１７，１７が配置されている。
【００２０】
また、図４（ｂ）を参照して、前記表示部１０の裏面には、該表示部１０、照光ランプ１５，１５およびファンクションキー１７，１７がそれぞれ電気的に接続された回路基板１３が取付けられ、該回路基板１３の裏面より、一対の接続端子１４ａ，１４ａと一対の接続端子１４ｂ，１４ｂとが、それぞれ配線レール１の導電ケーブル４ａ，４ａと導電ケーブル４ｂ，４ｂとに相対向する位置で回路基板１３に電気的に接続されて突設されている。また、配線レール１は、その基板部２と収納棚の枠部１８とをネジ１９で貫通させて該収納棚の前面に直接取付けられている。
【００２１】
更に、図２（ｂ）および図２（ｃ）を参照して、前記表示ユニット１１の前面は、中心部より左右幅方向に向かってなだらかに傾斜する円弧形状になっており、表示部１０および照光ランプ１５，１５の状態が、表示ユニット１１と正対した側からのみならず、斜め前方側からも視認できるようになっている。また、表示部１０および照光ランプ１５，１５の上下部には、それぞれ円弧形状の天板１２ａと地板１２ｂがその円弧部分を表示部１０の前面形状に沿わせるように配設されており、該天板１２ａおよび地板１２ｂの後方端部には、それぞれ配線レール１の係合部３ａ，３ｂと係合する一対の被係合部１６ａ，１６ｂが突設されている。
【００２２】
そして、図３および図４（ｂ）を参照して、前記表示ユニット１１は、接続端子１４ａ，１４ａと接続端子１４ｂ，１４ｂとをそれぞれ基板部２の開口Ａを通して配線レール１の導電ケーブル４ａ，４ａと導電ケーブル４ｂ，４ｂとに電気的に接触させるとともに、該表示ユニット１１の被係合部１６ａ，１６ｂを、その各前部縁端を配線レール１の係止部５ａ，５ｂによって係止させた状態でそれぞれ係合部３ａ，３ｂに係合させることにより、配線レール１の前面にスライド自在且つ着脱可能に装着されている。また、この表示ユニット１１の各接続端子と配線レール１の各導電ケーブルとの電気的な接触により、前記した制御コンピューターと表示ユニット１１とが電気的に接続され、制御コンピューターから表示部１０の表示状態および照光ランプ１５，１５の点滅状態を制御する制御信号と、表示ユニット１１を駆動するための駆動電力とが表示ユニット１１に伝達される。
【００２３】
なお、図４（ｂ）に示すように、表示ユニット１１の地板１２ｂは、被係合部１６ｂが表示ユニット１１の本体に対して進退するように、折り返し構造に形成されているので、係合部３ｂと被係合部１６ｂとの係合強さは、係合部３ａと被係合部１６ａとの係合強さより緩くなされ、その係合強さの緩い側より、表示ユニット１１が配線レール１から着脱可能となっている。
【００２４】
また、前記基板部２の一対の係合部３ａ，３ｂは、基板部２を基準として非対称に設けられているため、詳しくは、基板部２の一対の係合部３ａ，３ｂの内、基板部２の上部に設けられた係合部３ａの基板部２からの高さを下部に設けられた係合部３ｂの高さより高くしているため、この係合部３ａを目印にすることで、配線レール１を適正な方向で収納棚に装着することができる。
【００２５】
更に、前記表示部１０は、照光ランプ１５，１５の点灯をＯＮ／ＯＦＦするスイッチの役割を兼ねており、これら図面に示すように表示部１０および照光ランプ１５，１５の表面が面一となっている状態で、スイッチはＯＮとなっており、表示部１０および照光ランプ１５，１５に通電されるようになっている。この状態から、表示部１０を指で押すと該表示部１０が一時的に後退してスイッチがＯＦＦとなり、表示部１０および照光ランプ１５，１５への通電が停止される。この後、表示部１０は自動的に前進して元の状態に復帰し、再び通電可能な状態となる。
【００２６】
前述したように、配線レール１の係合部３ａは、表示ユニット１１の上面に位置する天板１２ａのほぼ半分の面積の領域を覆うように設けられているため、表示ユニット１１に人体の一部や荷物等が直接当りにくく、表示ユニット１１が損傷から保護されている。また、表示部１０は，スイッチがＯＮとＯＦＦのいずれの状態においても、天板１２ａと地板１２ｂによって遮蔽されており、ピッキング作業時に表示部１０に人体の一部や荷物等が当りにくく、スイッチの誤操作が防止されるようになっている。
【００２７】
上記した構成からなる配線レール１を用い、倉庫等に設置された収納棚に配線レール１および表示ユニット１１を取付ける方法について図５を参照しながら説明する。ここで、図５は、本実施の形態における配線レール１と表示ユニット１１とが収納棚２５に取付けられた状態を示す正面図である。
【００２８】
先ず、予め導電ケーブルを敷設しておいた配線レール１を、収納棚２５の幅方向の長さにパイプカッターやラチェットカッター等のカッターで切断し、この配線レール１の基板部２の裏面を収納棚２５の枠部に当接させてネジ、接着剤、両面粘着テープ等を用いて取付ける。
【００２９】
次に、表示ユニット１１を一括管理する制御コンピューター等と接続されたエンドキャップ２６を配線レール１の端部に挿着し、配線レール１の導電ケーブルと制御コンピューターとを電気的に接続する。
【００３０】
続いて、収納する物品に応じて所定の幅で仕切られた各収納部のほぼ中央部に表示ユニット１１が位置するように、表示ユニット１１の係合部１６ａ，１６ｂを配線レール１の係合部３ａ，３ｂ（図４（ｂ）参照）に係合させることにより、表示ユニット１１を配線レール１の前面に取付けるとともに、表示部１０の各接続端子を配線レール１の各導電ケーブルにそれぞれ電気的に接触させ、表示ユニット１１と前記した制御コンピューターとを電気的に接続することにより、取付けが完了する。
【００３１】
このように、配線レールを隠蔽するレールカバー等の補助部材が不要であるので、収納棚の各収納部の位置や範囲を変更するレイアウト変更時には、従来のように収納棚の各収納部の寸法等に適合するようにレールカバー等を切断する必要がなく、表示ユニット１１の位置を配線レール１の基板部２の長手方向にスライドさせることのみで変更することができる。
【００３２】
以上説明したように、本実施の形態の配線レール１によれば、配線レール１に敷設された導電ケーブル４ａ，４ｂが、その一部を基板部２に沿って延びるスリット状の開口Ａから露出させて該基板部２に埋め込まれているため、配線レールを隠蔽するレールカバー等の補助部材を用いないでも作業者の手指による接触や大気中の塵埃から導電ケーブルが保護されるようになり、レイアウト変更時に表示装置の位置を変更する作業が容易且つ安価に行えるようになる。
【００３３】
また、前記表示ユニット１１に設けられた一対の被係合部１６ａ，１６ｂと係合する一対の係合部３ａ，３ｂが基板部２の両縁に相対向して延設され、該係合部３ａ，３ｂの内、基板部２の上部に設けられた係合部３ａの基板部２からの高さを下部に設けられた係合部３ｂの高さより高くしているため、この係合部３ａを目印にすることで、配線レール１を適正な状態で収納棚に装着することができる。また、表示ユニット１１に設けられた被係合部１６ａと係合する係合部３ａを目印にすることで、配線レール１に目印とするための別の部位を設ける必要がなく、配線レール１のスリム化と省スペース化に寄与することができる。
【００３４】
尚、本実施の形態の配線レール１では、駆動電力と制御信号とをそれぞれ一対の導電ケーブル４ａ，４ａと一対の導電ケーブル４ｂ，４ｂによって個別に伝達させるようにしたが、配線レール１に敷設する導電ケーブルを２本のみとし、該２本の導電ケーブルによって、例えば、伝達のタイミングを変える等して駆動電力および制御信号を伝達させてもよく、導電ケーブルの本数は特に限定されるものではない。
【００３５】
また、本実施の形態の配線レール１では、基板部２の一対の係合部３ａ，３ｂの内、基板部２の上部に設けられた係合部３ａの基板部２からの高さを下部に設けられた係合部３ｂの高さより高くしたが、係合部３ｂの基板部２からの高さを上部に設けられた係合部３ａの高さより高くしてもよい。要するに、基板部２の一対の係合部３ａ，３ｂが、基板部２を基準として非対称であって、一方の係合部を目印として、配線レール１を適正な方向で収納棚に容易に装着できるように構成されていればよい。
【００３６】
また、本実施の形態の表示ユニット１１では、表示部１０および照光ランプ１５，１５の表面が面一となっている状態で、スイッチはＯＮとなっており、この状態から、表示部１０を指で押すと該表示部１０が一時的に後退してスイッチがＯＦＦとなるように構成したが、例えば、図６に示すように、照光ランプ１５，１５の表面に対して表示部１０が後退した状態で、スイッチがＯＮとなるようにし、この状態から、表示部１０を指で押して更に該表示部１０を後退させた状態でスイッチがＯＦＦとなるように構成してもよい。これにより、天板１２ａと地板１２ｂによる表示部１０の遮蔽の度合いが高まり、ピッキング作業時に表示部１０に人体の一部や荷物等が更に当りにくくなり、スイッチの誤操作がより効果的に防止されるようになる。
【００３７】
また、図４（ｂ）に示すように、本実施の形態の配線レール１は、その基板部２と収納棚の枠部１８とをネジ１９で貫通させて収納棚に直接取付けられるようにし、且つ装着された表示ユニット１１の表示部１０が水平方向を向くように構成したが、例えば、図７（ａ）に示すように、基板部２１を有し、該基板部２１の両縁に一対の係合部２０ａ，２０ｂが相対向して延設され、基板部２１の所定位置に補助係合部２０ｃが延設された補助レール２０を用い、その基板部２１と収納棚の枠部１８とをネジ１９で貫通させて該補助レール２０をその前面が水平方向を向くように収納棚に直接取付け、更に配線レール１の背面に設けられた一対の被係合部７ａ，７ｂを、それぞれ補助レール２０の係合部２０ａ、補助係合部２０ｃに係合させるとともに、配線レール１の係合部３ｂを補助レール２０の係合部２０ｂに係合させることにより、補助レール２０に配線レール１をその前面が斜め下方を向くように装着することができる。これにより、表示ユニット１１を、その表示部１０が斜め下方を向くように配線レール１に装着することが可能となり、表示ユニット１１を収納棚の上方領域（頭上より高い領域）に取付ける際に視認性を高めることができる。
【００３８】
また、例えば、図７（ｂ）に示すように、補助係合部２０ｃの基板部２１に設けられた位置が異なる補助レール２０を用い、配線レール１の背面に設けられた一対の被係合部７ａ，７ｂを、それぞれ補助レール２０の補助係合部２０ｃ、係合部２０ｂに係合させるとともに、配線レール１の係合部３ａを補助レール２０の係合部２０ａに係合させることにより、補助レール２０に配線レール１をその前面が斜め上方を向くように装着することもできる。これにより、表示ユニット１１を、その表示部１０が斜め下方を向くように配線レール１に装着することが可能となり、表示ユニット１１を収納棚の下方領域（足元近傍の領域）に取付ける際に視認性を高めることができる。
【００３９】
また、図８に示すように、基板部２３を有し、該基板部２３の両縁に一対の遮蔽壁２４ａ，２４ｂが相対向して延設され、基板部２３の所定位置に一対の係合部２２ａ，２２ｂが延設された補助レール２２を用い、配線レール１の背面に設けられた一対の被係合部７ａ，７ｂを、それぞれ補助レール２２の係合部２２ａ，２２ｂに係合させた状態で、配線レール１の基板部２と、補助レール２２の基板部２３と、収納棚の枠部１８とをネジ１９で貫通させて、該配線レール１と補助レール２２とを収納棚に直接取付けることにより、配線レール１が補助レール２２の遮蔽壁２４ａ，２４ｂによって遮蔽された状態とすることができる。これにより、配線レール１に装着された表示ユニット１１に、人体の一部や荷物等が直接当たる可能性が皆無となり、表示ユニット１１が損傷からほぼ完全に保護されるとともに、表示部１０にも人体の一部や荷物等が当たる可能性が皆無となり、スイッチの誤操作を更に効果的に防止することができる。
【００４０】
更に、本発明に係る配線レール１は、上記したようなピッキング作業用の表示ユニット１１のみならず、それ以外の各種の表示ユニット、または表示ユニット以外の発光ユニット、電気分岐ユニット、その他の電気部材についても、これら電気部材に配線レールの係合部３ａ，３ｂと係合する被係合部を設けるとともに、導電ケーブルと電気的に接触し得る接続端子を設けることにより、表示ユニット１１と同様にして、配線レール１に装着されるとともに、制御コンピューターと電気的に接続されるように構成してもよい。
【図面の簡単な説明】
【００４１】
【図１】図１（ａ）は、本発明に係る配線レールを示す斜視図であり、図１（ｂ）は、該配線レールに表示装置が装着された状態を示す斜視図である。
【図２】図２（ａ）は、本発明に係る配線レールに表示ユニットが装着された状態を示す正面図であり、図２（ｂ）は、図２（ａ）に示す配線レールおよび表示ユニットの平面図であり、図２（ｃ）は、図２（ａ）に示す配線レールおよび表示ユニットの底面図である。
【図３】図３は、図２（ａ）に示す配線レールおよび表示ユニットの側面図である。
【図４】図４（ａ）は、図２（ａ）のＡ−Ａ線における配線レールの断面図であり、図４（ｂ）は、図２（ａ）のＡ−Ａ線における配線レールおよび表示装置の断面図である。
【図５】図５は、本発明に係る配線レールと表示ユニットとが収納棚に取付けられた状態を示す正面図である。
【図６】本発明に係る配線レールに、図４（ｂ）に示す表示ユニットと別の形態の表示ユニットが装着された状態を示す断面図である。
【図７】図７（ａ）は、本発明に係る配線レールが、補助レールを介して収納棚に取付けられた状態を示す断面図であり、図７（ｂ）は、本発明に係る配線レールが、別の形態の補助レールを介して収納棚に取付けられた状態を示す断面図である。
【図８】図８は、本発明に係る配線レールが、更に別の形態の補助レールを介して収納棚に取付けられた状態を示す断面図である。
【図９】図９は、従来例の配線レールと表示装置とが収納棚の前面に取付けられた状態を説明する斜視図である。
【符号の説明】
【００４２】
１…配線レール、２…基板部、３ａ，３ｂ…係合部、４ａ，４ｂ…導電ケーブル（導電線）、１１…表示ユニット（表示装置）、１４ａ，１４ｂ…接続端子、Ａ…スリット状の開口
【図１】
2005123316.tif 000003
【図２】
2005123316.tif 000004
【図３】
2005123316.tif 000005
【図４】
2005123316.tif 000006
【図５】
2005123316.tif 000007
【図６】
2005123316.tif 000008
【図７】
2005123316.tif 000009
【図８】
2005123316.tif 000010
【図９】
2005123316.tif 000011